(57)【要約】【課題】要求される動画像信号の品質が様々である動画像送受信システムにおいて、動画像送信システムにおけるデータ蓄積量を最小限にして蓄積にかかるコストを抑えるとともに、動画像送信システム内の負荷を高めずに、要求された品質の符号化データを伝送することを可能にする。【解決手段】動画像送信システムは、動画像信号を階層的に符号化し、周波数帯域ごとに動画像信号成分を分割して圧縮し、各動画像送信サーバに任意の周波数帯域を割り当て、各自割り当てられた周波数帯域の符号化データを蓄積した複数の動画像送信サーバ７−１〜７−９によって構成され、動画像受信システムの要求に応じてパケット伝送ネットワークを通じて符号化データをパケット伝送し、動画像受信システムは、受信する動画像を動画像送信システムに要求し、前記パケット伝送された符号化データを受信し、復号して再生する。【選択図】　　　　図７
2004128841.tif 000002
【特許請求の範囲】
【請求項１】
動画像送信システムは、動画像信号を符号化して圧縮し、この符号化データを蓄積した複数の動画像送信サーバによって構成され、動画像受信システムの要求に応じてパケット伝送ネットワークを通じて符号化データをパケット伝送し、動画像受信システムは、受信する動画像を動画像送信システムに要求し、前記パケット伝送された符号化データを受信し、復号して再生する動画像送受信システムにおいて、
動画像送信システムは、動画像信号を階層的に符号化し、周波数帯域ごとに動画像信号成分を分割して圧縮し、各動画像送信サーバに任意の周波数帯域を割り当て、各自割り当てられた周波数帯域の符号化データを蓄積した複数の動画像送信サーバによって構成され、動画像受信システムの要求に応じてパケット伝送ネットワークを通じて符号化データをパケット伝送し、
動画像受信システムは、受信する動画像を動画像送信システムに要求し、前記パケット伝送された符号化データを受信し、復号して再生することを特徴とする動画像送受信システム。
【請求項２】
前記動画像送受信システムにおいて、動画像受信システムは、受信する動画像の要求に加えて復号時の動画像品質を動画像送信システムに要求し、動画像送信システムは、要求された動画像品質を満たすために必要な周波数帯域成分の符号化データを蓄積する動画像送信サーバのみを稼働させ、符号化データをパケット伝送し、動画像受信システムは、前記パケット伝送された符号化データを受信し、復号して再生することを特徴とする請求項１に記載の動画像送受信システム。
【請求項３】
前記動画像送受信システムにおいて、動画像送信システムからパケット伝送された符号化データを受信し、この符号化データを動画像受信システムへパケット伝送する動画像中継装置があり、前記動画像中継装置は動画像受信システムより受信する動画像と復号時の動画像品質の要求を受け、動画像送信システムにおける各動画像送信装置の負荷状態と各動画像送信装置への回線状態及び動画像品質を満たすために必要な周波数帯域を元に符号化データ伝送を要求する動画像送信装置を選出して、選出された動画像送信装置に符号化データ伝送を要求し、動画像送信装置からパケット伝送された符号化データを動画像受信システムにパケット伝送し、動画像受信システムは、前記パケット伝送された符号化データを受信し、復号して再生することを特徴とする請求項１に記載の動画像送受信システム。
【請求項４】
前記動画像送受信システムにおいて、動画像受信システムは、再生能力が同一でない複数の動画像受信装置で構成されており、かつ、再生能力と要求する動画像品質に関して動画像受信装置の配置に偏在性があり、動画像送信システムは、再生能力が高く要求する動画像品質が高い動画像受信装置が多数配置されている領域と近い箇所Ａにおいては、再生能力が低く要求する動画像品質が低い動画像受信装置が多数配置されている領域と近い箇所Ｂよりも、周波数帯域が高域の成分を蓄積した動画像送信サーバを多数配置し、また箇所Ａは箇所Ｂより伝送帯域の広い回線を用いてネットワークが構成されていることを特徴とする請求項１ないし３のうちいずれか１項に記載の動画像送受信システム。
【請求項５】
動画像送信システムは、動画像信号を符号化して圧縮し、この符号化データを蓄積した複数の動画像送信サーバによって構成され、動画像受信システムの要求に応じてパケット伝送ネットワークを通じて符号化データをパケット伝送し、動画像受信システムは、受信する動画像を動画像送信システムに要求し、前記パケット伝送された符号化データを受信し、復号して再生する動画像送受信システムにおいて、
動画像送信システムは、復号画像におけるＳＮＲ向上への寄与の度合いに対応して動画像信号成分を複数のレイヤに分割し符号化して圧縮し、各動画像送信サーバに任意のレイヤを割り当て、各自割り当てられたレイヤの符号化データを蓄積した複数の動画像送信サーバによって構成され、動画像受信システムの要求に応じてパケット伝送ネットワークを通じて符号化データをパケット伝送し、
動画像受信システムは、受信する動画像を動画像送信システムに要求し、前記パケット伝送された符号化データを受信し、復号して再生することを特徴とする動画像送受信システム。
【請求項６】
前記動画像送受信システムにおいて、動画像受信システムは、受信する動画像の要求に加えて復号時の動画像品質を動画像送信システムに要求し、動画像送信システムは、要求された動画像品質を満たすために必要なレイヤの符号化データを蓄積する動画像送信サーバのみを稼動させ、符号化データをパケット伝送し、動画像受信システムは、前記パケット伝送された符号化データを受信し、復号して再生することを特徴とする請求項５に記載の動画像送受信システム。
【請求項７】
前記動画像送受信システムにおいて、動画像送信システムからパケット伝送された符号化データを受信し、この符号化データを動画像受信システムヘパケット伝送する動画像中継装置があり、前記動画像中継装置は動画像受信システムより受信する動画像と復号時の動画像品質の要求を受け、動画像送信システムにおける各動画像送信装置の負荷状態と各動画像送信装置への回線状態及び動画像品質を満たすために必要なレイヤを元に符号化データ伝送を要求する動画像送信装置を選出して、選出された動画像送信装置に符号化データ伝送を要求し、動画像送信装置からパケット伝送された符号化データを動画像受信システムにパケット伝送し、動画像受信システムは、前記パケット伝送された符号化データを受信し、復号して再生することを特徴とする請求項５に記載の動画像送受信システム。
【請求項８】
前記動画像送受信システムにおいて、動画像受信システムは、再生能力が同一でない複数の動画像受信装置で構成されており、かつ、再生能力と要求する動画像品質に関して動画像受信装置の配置に偏在性があり、動画像送信システムは、再生能力が高く要求する動画像品質が高い動画像受信装置が多数配置されている領域と近い箇所Ａにおいては、再生能力が低く要求する動画像品質が低い動画像受信装置が多数配置されている領域と近い箇所Ｂよりも、復号時のＳＮＲ向上への寄与が高いレイヤの符号化データを蓄積した動画像送信サーバを多数配置し、また箇所Ａは箇所Ｂより伝送帯域の広い回線を用いてネットワークが構成されていることを特徴とする請求項５ないし７のうちいずれか１項に記載の動画像送受信システム。
【請求項９】
復号時の動画像品質への寄与の度合いに応じ、複数の周波数帯域成分に分割して符号化された動画像信号の符号化データ群を、動画像送信システムに蓄積する動画像蓄積方法において、
各周波数帯域に対し、動画像送信システムを構成する単数もしくは複数の動画像送信装置を割り当て、各動画像送信装置は割り当てられた周波数帯域の符号化データのみを蓄積し、これによって符号化データ群を動画像送信システムに蓄積する動画像蓄積方法。
【請求項１０】
復号時の動画像における、元画像に対するＳＮＲ向上への寄与の度合いに応じ、複数のレイヤに分割して符号化された動画像信号の符号化データ群を、動画像送信システムに蓄積する動画像蓄積方法において、
各レイヤに対し、動画像送信システムを構成する単数もしくは複数の動画像送信装置を割り当て、各動画像送信装置は割り当てられたレイヤの符号化データのみを蓄積し、これによって符号化データ群を動画像送信システムに蓄積する動画像蓄積方法。
【発明の詳細な説明】
【０００１】
【発明の属する技術分野】
この発明は、送信側では符号化及び圧縮アルゴリズムを用いて符号化した動画像データを、複数の送信サーバに分散して蓄積し、これをパケット伝送ネットワークを通じて伝送し、これを受信する受信側では復号・伸張して元の動画像信号を再生する動画像送受信システムと、動画像データを複数の送信サーバに分散して蓄積する動画像蓄積方法に関するものである。
【０００２】
【従来の技術】
ネットワークを通じた動画像の符号化データ伝送において、１つの動画像送信サーバが伝送できる時間あたりのデータ量は限られているため、１つの動画像送信サーバが同時期にデータを伝送できる受信装置の数は限られている。したがって、受信装置がこれを超えて多数存在する場合は、複数の動画像送信サーバを利用し、動画像送信システムを構成する必要がある。
【０００３】
従来の動画像送信システムでは、１）同一の符号化データを複数の動画像送信サーバに蓄積する（例えば、非特許文献１）、もしくは、２）符号化データの断片を複数の動画像送信サーバに個別に蓄積するという蓄積方法を利用し（例えば、非特許文献２、３）、動画像送信システムを構成している。
【０００４】
１）での構成例を図１、図２に示す。図１、図２において、１、１−１、１−２は受信装置であり、２−１〜２−８は動画像送信サーバであり、３は応答サーバであり、４は中継装置である。動画像送信サーバ２−１〜２−８には同一の符号化データＡが蓄積されている。図１では、受信装置は動画像送信システムから１つの動画像送信サーバ２−２を選択してデータ伝送を要求し、データを受信する。選択すべき動画像送信サーバ２−２は、ＤＮＳラウンドロビンや専用の応答サーバ３によって受信装置１に通知され、これによって動画像送信システム内の負荷が分散される。図２では、受信装置１−１の要求を中継装置４が代表して受け取り、中継装置４は動画像送信システムから１つの動画像送信サーバ２−２を選択し、データ伝送を中継する。動画像送信サーバは、動画像送信システム内の負荷が分散されるように選択される。
【０００５】
２）での構成例を図３、図４に示す。図３、図４において、５−１〜５−８は動画像送信サーバであり、５−１、５−２には符号データＡ１が、５−３、５−４には符号化データＡ２が、５−５、５−６には符号化データＡ３が、５−７、５−８には符号化データＡ４が蓄積されている。図３では、受信装置１は複数の動画像送信サーバ５−２、５−４、５−５、５−８から同時に符号化データの断片を受信し、連続した符号化データに再構成して動画像の再生を行う。図４では、受信装置の要求を中継装置４が代表して受け取り、中継装置４は複数の動画像送信サーバ５−２、５−４、５−５、５−８から同時に符号化データの断片を受信し、連続した符号化データに再構成して受信装置１−１にデータ伝送する。図３、図４のいずれも、データ伝送を行う動画像送信サーバ１台あたりのデータ送出量が　１）の場合に比べ少ないため、動画像システム内の負荷が分散される。
【０００６】
受信装置の再生能力が低い、もしくは受信装置と動画像送信システム間のネットワークにおいて、符号化データを伝送するのに充分な帯域が利用できない、などの理由で受信装置が低品質の動画像信号を要求する場合は、前述の　１）、２）の両方において、ａ）あらかじめ複数の品質で動画像を符号化して符号化データを蓄積しておき、要求に最も近い品質の符号化データを送信する、もしくは　ｂ）データ送信時に要求された品質で符号化処理を行い、符号化データを送信する、といった処理を行う。
【０００７】
【非特許文献１】
Ｔｏｎｙ　Ｂｏｕｒｋｅ著、鍋島公章監訳、「サーバ負荷分散技術」、オライリー・ジャパン、２００１年、ｐｐ．４−１０、ｐｐ．２７−３４
【非特許文献２】
Ｊｉｂｅ、「ＪＩＢＥＴＭ　ＴＯ　ＵＮＩＶＥＩＬ　ＮＥＸＴ−ＧＥＮＥＲＡＴＩＯＮ　ＭＥＤＩＡ　ＤＥＬＩＶＥＲＹ　ＳＯＬＵＴＩＯＮ　ＡＴ　Ｏ’ＲＥＩＬＬＹ　ＥＭＥＲＧＩＮＧ　ＴＥＣＨＮＯＬＯＧＹ　ＣＯＮＦＥＲＥＮＣＥ」、［平成１４年９月２６日検索］、インターネット＜ｈｔｔｐ：／／ｗｗｗ．ｊｉｂｅ．ｗｓ／ａｂｏｕｔＪｉｂｅ／ｐｒｅｓｓ−０５１３０２−ｏｒｅｉｌｌｙ．ｈｔｍ＞
【非特許文献３】
Ｏｎｉｏｎ　Ｎｅｔｗｏｒｋｓ、「Ｉｎｔｒｏｄｕｃｉｎｇ　ｔｈｅ　ＷｅｂＲＡＩＤＴＭ　Ｃｏｎｔｅｎｔ　ＤｅｌｉｖｅｒｙＥｎｇｉｎｅ」、［平成１４年９月２５日検索］、インターネット＜ｈｔｔｐ：／／ｗｗｗ．ｏｎｉｏｎｎｅｔｗｏｒｋｓ．ｃｏｍ／ｗｅｂｒａｉｄ／ｉｎｄｅｘ．ｈｔｍｌ＞
【０００８】
【発明が解決しようとする課題】
前述した　１）もしくは　２）の蓄積方法を用いた動画像送受信システムのいずれにおいても、受信システムが再生能力の様々な受信装置からなり、種々の品質の動画像信号の要求が生じる場合、前述のとおり　ａ）あらかじめ複数の品質で動画像を符号化して符号化データを蓄積しておき、要求に最も近い品質の符号化データを送信する、もしくは　ｂ）データ送信時に要求された品質で符号化処理を行い、符号化データを送信する、といった処理が必要となる。しかし、ａ）は同一の動画像信号に対して複数の符号化データを蓄積しなければならず、符号化データ蓄積にかかるコストが増加する。ｂ）では、データ伝送ごとに符号化処理が必要となるため、動画像送信システムにおける負荷が増加する。
【０００９】
本発明の目的は、動画像受信システムを構成する各受信装置の再生能力が様々であり、要求される動画像信号の品質が様々である動画像送受信システムにおいて、動画像送信システムにおけるデータ蓄積量を最小限にして蓄積にかかるコストを抑えるとともに、動画像送信システム内の負荷を高めずに、要求された品質の符号化データを伝送することを可能にすることにある。
【００１０】
また、本発明の他の目的は、動画像送信サーバの処理能力、動画像送信サーバと受信装置間のネットワークの有効帯域などに偏在性を持たせて動画像送信システムを構築することを可能にし、受信装置の偏在性に対して最適化した動画像送受信システムの構築を可能にすることにある。
【００１１】
【課題を解決するための手段】
本発明は、動画像信号を階層的に符号化し、周波数帯域ごとに動画像信号成分を分割して圧縮し、符号化データを生成する手段と、復号画像におけるＳＮＲ向上への寄与の度合いに対応して動画像信号成分を複数のレイヤに分割し符号化して圧縮し、符号化データを生成する手段を備え、これらの手段によって生成された符号化データを、周波数帯域ごともしくはレイヤごとに複数の動画像送信サーバにそれぞれ蓄積することを特徴とする。
【００１２】
また本発明は、動画像受信装置が要求する動画像と動画像品質に対応して、要求された動画像品質に必要な符号化データを蓄積しているかどうか、動画像受信装置又は動画像受信装置の要求を受けた中継装置とのネットワークの帯域、そのサーバの負荷状況に基づいて、データ送信を行う動画像送信サーバを選出する手段を備え、この手段によって選出された動画像送信サーバを稼動させ符号化データを送信し、ネットワークを通じて直接もしくは中継装置を経由して符号化データを動画像受信装置にパケット伝送して、動画像受信装置で復号・再生することを特徴とする。
【００１３】
本発明によれば、動画像信号を周波数帯域ごともしくは複数のレイヤに分割して符号化し、圧縮する手段により、１つの動画像信号を複数の成分に分割し、それぞれに動画像再生時における重要度を付加することができる。このとき、低域周波数成分及び上位のレイヤ成分は画像復号時における画像品質への寄与が高いため、重要度が高くなる。また最も重要度の高い成分からどの程度重要度の低い成分までを復号に用いるかによって、復号画像の品質が決まる。したがって、受信装置が要求する画像品質によって、稼働する動画像送信サーバの数を変化させることができる。このため、要求された画像品質が高品質でなければ、稼動する動画像送信サーバの数を抑えることができる。また、稼動する動画像送信サーバの数を変化させることで様々な画像品質の要求に対応できるため、あらかじめ複数の品質で動画像を符号化して蓄積する必要や、データ送信時に符号化処理を行う必要がない。
【００１４】
【発明の実施の形態】
以下、図面を参照して本発明の実施の形態を詳細に説明する。
動画像送信システムにおいて、入力された動画像信号は、階層的符号化器により周波数帯域ごとに分割され、符号化される。一般的には、ＪＰＥＧ２０００に代表されるウェーブレット分解及びビットプレーン分解を利用した符号化アルゴリズムを用いる。
【００１５】
図５では、動画像信号をウェーブレット分解により４つの周波数帯域に分解した例を示している。この分解例では、動画像信号を単位時間ごとに２次元フィルタを用いてウェーブレット分解している。２次元フィルタによって画像平面を水平方向及び垂直方向のそれぞれにおいて低域成分と高域成分に２分解し、画像平面を４つの成分に分解する。このうち水平方向、垂直方向ともに低域の成分が元画像に最も近い情報を保持しており、この成分を再度２次元フィルタによって分解することでさらに一段階次の階層の分解結果が得られる。分解によって生成された各成分は、それぞれ圧縮及び符号化される。図５において１ＨＬという表示は分解レベルが１、つまり１回目の分解処理の結果で、水平方向が高域、垂直方向が低域の成分であることを示している。図５はこの分解処理を４段階まで行ったもので、４ＬＬが最も低域の成分、１ＨＨが最も高域の成分となる。最も低域の成分から、どの程度まで高域の成分を復号に用いるかによって、復号時の画像品質が決まる。図５の例では符号化データを分解レベルごとに集約して、Ａを最も低域の成分とし、Ｄを最も高域の成分とする４つの符号化データＡ〜Ｄのグループを生成している。このとき、符号化データＡが最も重要度が高く、符号化データＤが最も重要度が低いデータとなる。なお、ウェーブレット分解の手順において、動画像信号の分解は時間方向も加えた３次元フィルタを用いてもよい。また、分解レベルはいくつであってもよく、各符号化データはグループ化してもしなくてもよい。
【００１６】
図６では、動画像信号をビットプレーン分割により４つのレイヤに分割した例を示している。この例では、画像平面を構成する各画素の数値を２値のビット列で扱い、最上位ビット（ＭＳＢ）から最下位ビット（ＬＳＢ）に至るまで順次ビット列を切り分け、それぞれ圧縮・符号化して４つの符号化データＡ〜Ｄを生成している。ＭＳＢからどの程度まで下位のビットを復号に用いるかによって、復号時の画像品質が決まるため、ＭＳＢに最も近いビット列を含む符号化データＡが最も重要度が高く、符号化データＤが最も重要度が低い。なお、ビットプレーン分割は前記ウェーブレット分解の結果求められたウェーブレット係数に関して使用することもできる。
【００１７】
以下、図５に示したウェーブレット分解により動画像信号の周波数帯域を４つに分けた場合に関して、図７を参照して説明する。図７において、６は動画像受信装置であり、７−１〜７−９は動画像送信サーバであり、８は応答サーバである。まず、生成された符号化データを動画像送信サーバに転送し蓄積する。各帯域成分は少なくとも１つの動画像送信サーバに蓄積されなければいけないが、各帯域成分を蓄積する動画像送信サーバは一台以上であれば何台であってもよい。一般的には、重要度の高い低域成分を蓄積しているサーバの負荷を分散させるため、高域の成分よりも低域の成分を多くの動画像送信サーバに蓄積する。図７においては、動画像送信サーバ７−１、７−２、７−６に符号化データＡが蓄積され、７−３、７−７、７−８に符号化データＢが蓄積され、７−４、７−９に符号化データＣが蓄積され、７−５に符号化データＤが蓄積されている。
【００１８】
動画像受信装置６は、再生する動画像信号と再生時の画像品質を指定して、応答サーバ８に問い合わせを行う。応答サーバ８は、あらかじめ各動画像送信サーバのＩＰアドレス、蓄積している符号化データ、負荷状況などの情報を保持しており、この情報をもとに、動画像受信装置が要求した画像品質を満たすために必要な符号化データを蓄積している動画像送信サーバのうち、その動画像受信装置にデータ送信を行う上で最適な動画像送信サーバを割り出し、その動画像送信サーバのＩＰアドレスを動画像受信装置に伝える。動画像受信装置は伝えられた情報をもとに動画像送信サーバにデータ送信の要求を行い、受信したデータを復号して再生する。例えば図７において、最高品質を４として動画像受信装置６が２の品質の動画像を要求したとき、応答サーバ８は最も低域の符号化データＡを蓄積している動画像送信サーバ群７−１、７−２、７−６と、２番目に低域の符号化データＢを蓄積している動画像送信サーバ群７−３、７−７、７−８のうち、それぞれ負荷の低い動画像送信サーバ７−２、７−７を選択し、そのＩＰアドレスを動画像受信装置に伝える。動画像受信装置６は伝えられた情報をもとに動画像送信サーバ７−２、７−７にデータ送信の要求を行い、受信したデータを復号して再生する。
【００１９】
以下、別の実施の形態について図８を参照して説明する。図８において、６−１、６−２は動画像受信装置であり、７−１〜７−９は動画像送信サーバであり、９は中継装置である。動画像受信装置６−１が、再生する動画像信号と再生時の画像品質を指定して、中継装置９に対してデータ送信の要求を行う。中継装置９は、あらかじめ各動画像送信サーバのＩＰアドレス、蓄積している符号化データ、負荷状況などの情報を保持しており、この情報をもとに、動画像受信装置６−１が要求した画像品質を満たすために必要な符号化データを蓄積している動画像送信サーバ７−１〜７−９のうち、その動画像受信装置にデータ送信を行う上で最適な動画像送信サーバを割り出し、データ送信の要求を行う。例えば図８において、最高品質を４として動画像受信装置６−１が２の品質の動画像を要求したとき、中継装置９は最も低域の符号化データＡを蓄積している動画像送信サーバ群７−１、７−２、７−６と、２番目に低域の符号化データＢを蓄積している動画像送信サーバ群７−３、７−７、７−８のうち、それぞれ負荷の低い動画像送信サーバ７−２、７−７を選択し、データ送信の要求を行う。
中継装置９は受信した符号化データＡ及び符号化データＢを動画像受信装置６−１に転送し、動画像受信装置６−１は受信した符号化データを復号して再生する。
図６に示したビットプレーン分割により動画像信号を４つのレイヤに分割した場合に関しても、図７及び図８と同様の形態で実施を行う。
【００２０】
以下、動画像再生能力と要求する動画像品質に関して、動画像受信装置の配置に偏在性を持たせて動画像受信システムを構成した場合の実施の形態について、図９及び図１０を参照して説明する。図９に示すように、低品質の動画像を要求する動画像受信装置と、高品質の動画像を要求する動画像受信装置がそれぞれ集中して配置される場合、低品質の動画像を要求する動画像受信装置に近い箇所では、高域の符号化データを蓄積している動画像送信サーバの配置を減らし、高品質の動画像を要求する動画像受信装置に近い箇所では、高域の符号化データを蓄積している動画像送信サーバを多く配置し、広帯域の回線を利用してネットワークを構成して、動画像送受信システムを構成する。図９又は、図１０に示すように、それぞれの動画像受信装置群と動画像送信システムの間に動画像中継装置を配置し、動画像送受信システムを構成する。このように構成された動画像送受信システムは、図７及び図８と同様の形態で動作する。
【００２１】
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００２２】
【発明の効果】
本発明による動画像送受信システムでは、動画像受信装置が要求する品質に応じて動画像送信システムの負荷を柔軟に制御することが可能であるため、各動画像受信装置が様々な画像品質を要求する動画像送受信システムにおいて、動画像送信システム全体の負荷及び符号化データ蓄積のコストを飛躍的に低減できる。
【００２３】
また、重要度の高い成分は全ての受信装置に要求され、重要度の低い成分は一部の受信装置に要求されるため、重要度の高い成分を蓄積する動画像送信サーバ数を増加させ、重要度の低い成分を蓄積する動画像送信サーバ数を低減させるなど、動画像送信システムを最適化するために動画像配信サーバ数や処理能力、ネットワーク有効帯域に偏在性を持たせて動画像送信システムを構築することが可能となる。例えば、再生能力が高く高品質な動画像を要求する動画像受信装置が多く存在する領域があり、動画像送信システムのこれに近い箇所では、重要度の低い成分を蓄積する動画像送信サーバを多く配置し、ネットワークを増強して高品質な動画像を確実に伝送できるようにする一方、再生能力が低く低品質な動画像を要求する動画像受信装置が多く存在する領域があり、これに近い箇所では、重要度の低い成分を蓄積する動画像送信サーバの数を抑える、といった構成が可能となる。また、低品質を要求する動画像受信装置が増加した場合は、重要度の高い成分を蓄積する動画像送信サーバだけを増加させることで対応が可能となる。
【００２４】
これによって大規模な動画像送受信システムの構築におけるコストを低減できるほか、動画像受信装置の増加に対応して、最適化された状態を保ったまま動画像送信システムの拡張が可能となる。
【図面の簡単な説明】
【図１】従来の動画像送受信システムの構成を示す図である。
【図２】従来の動画像中継装置を用いた動画像送受信システムの構成を示す図である。
【図３】従来のファイル分割を用いた動画像送受信システムの構成を示す図である。
【図４】従来のファイル分割と動画像中継装置を用いた動画像送受信システムの構成を示す図である。
【図５】ウェーブレット変換による４階層の動画像符号化を示す図である。
【図６】ビットプレーン分割による４レイヤの動画像符号化を示す図である。
【図７】動画像送受信システムの構成を示す図である。
【図８】動画像中継装置を用いた動画像送受信システムの構成を示す図である。
【図９】偏在性を有する動画像送受信システムの構成を示す図である。
【図１０】偏在性を有する動画像中継装置を用いた動画像送受信システムの構成を示す図である。
【符号の説明】
１、１−１、１−２…受信装置、２−１〜２−８…動画像送信サーバ、３…応答サーバ、４…中継装置、６、６−１、６−２…動画像受信装置、７−１〜７−９…動画像送信サーバ、８…応答サーバ、９…中継装置
【図１】
2004128841.tif 000003
【図２】
2004128841.tif 000004
【図３】
2004128841.tif 000005
【図４】
2004128841.tif 000006
【図５】
2004128841.tif 000007
【図６】
2004128841.tif 000008
【図７】
2004128841.tif 000009
【図８】
2004128841.tif 000010
【図９】
2004128841.tif 000011
【図１０】
2004128841.tif 000012